(57)【特許請求の範囲】
【請求項１】
積載された複数枚の用紙を支持する用紙支持手段と、該用紙支持手段から前記用紙を取り出す分離ローラと、該分離ローラが取り出す用紙を一枚ずつに分離する分離片とを備える用紙分離装置において、
前記用紙支持手段は、前記用紙を案内するシュート部材を有し、前記シュート部材の先端部に、先端部分が前記分離片付近まで延びるフィルム状の延長板が設けられ、
前記分離片には、前記分離片を分離ローラ側へ押圧付勢する板バネが設けられ、該板バネに、それの振動を抑制する防振ゴムが接着されていることを特徴とする用紙分離装置。
【請求項２】
前記板バネは、一端部が分離片とともにフレームに取り付けられる支持部と、該支持部の他端部に連接され分離片に接触して該分離片を分離ローラ側に付勢する付勢部とを有するものであり、前記板バネの支持部の一端部付近に防振ゴムが設けられているところの請求項１記載の用紙分離装置。
【請求項３】
前記延長板は、可撓性を有する合成樹脂からなり、前記シュート部材に基端部分が接着されているところの請求項１記載の用紙分離装置。
【請求項４】
前記延長板は、供給される用紙の幅方向の略中央に接触するところの請求項１記載の用紙分離装置。
【請求項５】
さらに、前記分離片の両側に、用紙が薄い場合にその用紙を分離ローラに押し付ける付勢部材が設けられているところの請求項１〜４記載の用紙分離装置。
【請求項６】
請求項１〜５のいずれかに記載の用紙分離装置を用いた画像形成装置。
【発明の詳細な説明】
【０００１】
【発明の属する技術分野】
本発明は、用紙分離装置及びそれを用いた画像形成装置に関する。
【０００２】
【従来の技術】
複写機、プリンタ、ファクシミリ装置などの画像形成装置において、印写部にシート状の記録紙や原稿を給紙する場合には、給紙部などの用紙支持手段に積層された用紙のうちの最上面又は最下面の用紙などを、用紙支持手段から取り出した上で印写部に給紙されるが、取り出された用紙が重送されるのを防止するために、用紙分離装置が設けられるのが通例である。
【０００３】
そのような分離装置として、用紙支持手段から取り出す用紙を一枚ずつに分離するために、図４（ａ）に示すように、用紙支持手段（図示せず）から用紙１００を取り出す分離ローラ１０１と、該分離ローラ１０１が取り出す用紙１００を一枚ずつに分離する分離片１０２とを備えるものが知られている。
【０００４】
【発明が解決しようとする課題】
しかしながら、用紙１００を積層して支持する用紙支持手段は、先端部が分離ローラ１０１付近まで延びているシュート部材１０４を有するが、例えば用紙１００の挿入の仕方や、シュート部材１０４と用紙１００、及び用紙１００同士の摩擦係数の関係等によっては、そのシュート部材１０４上の用紙１００の先端が図４（ｂ）に示すように逆くさび状になりやすいため、複数枚の用紙１００（図４（ｂ）では三枚）が分離ローラ１０１に接触し、その結果、用紙１００の種類によっては重送が起こりやすくなってしまうという課題がある。また、用紙１００がカールなどしている場合にも、用紙１００は分離ローラ１０１にひっかかりやすく、同様な課題がある。
【０００５】
本発明は、かかる点に鑑みてなされたもので、供給される用紙の分離を確実に行い、用紙の重送を防止することができる用紙分離装置を提供することを目的とする。
【０００６】
【課題を解決するための手段】
請求項１の発明は、積載された複数枚の用紙を支持する用紙支持手段と、該用紙支持手段から前記用紙を取り出す分離ローラと、該用紙取りだしローラが取り出す用紙を一枚ずつに分離する分離片とを備える用紙分離装置において、前記用紙支持手段は、前記用紙を案内するシュート部材を有し、前記シュート部材の先端部に、先端部分が前記分離片付近まで延びるフィルム状の延長板が設けられ、前記分離片には、前記分離片を分離ローラ側へ押圧付勢する板バネが設けられ、該板バネに、それの振動を抑制する防振ゴムが接着されていることを特徴とする。ここで、延長板としては、ＰＥＴフィルムなどの合成樹脂フィルムだけでなく、アルミ箔などの金属フィルムなどを用いることができる。
【０００７】
請求項１の発明によれば、用紙支持手段のシュート部材に収納される複数枚の用紙のうち最も下側の用紙が、先端部分が前記分離片付近まで延びるフィルム状の延長板によって１枚ずつ案内され、用紙が逆くさび状になるのが回避され、用紙の重送が防止される。
また、分離片を分離ローラ側へ押圧付勢する板バネに、それの振動を抑制する防振ゴムが接着されていることから、簡単な構造で、用紙の通過時に板バネに生ずる振動が減衰せしめられ、その振動による異音の発生が低減される。
【０００８】
請求項２の発明は、請求項１の用紙分離装置において、前記板バネが、一端部が分離片とともにフレームに取り付けられる支持部と、該支持部の他端部に連接され分離片に接触して該分離片を分離ローラ側に付勢する付勢部とを有するものであり、前記板バネの支持部の一端部付近に防振ゴムが設けられている。
請求項２の発明によれば、板バネの支持部の一端部付近に防振ゴムが設けられ、前記防振ゴムによる、板バネの振動の減衰性能が高められる。
請求項３の発明は、請求項１の用紙分離装置において、前記延長板が、可撓性を有する合成樹脂からなり、前記シュート部材に基端部分が接着されているものである。
【０００９】
請求項３の発明によれば、延長板が基端部分がシュート部材に接着剤等にて接着されるが、原稿搬送方向下流側部分は自由状態であり、供給される最も下側の用紙に自由状態のまま沿い、その用紙が分離ローラまで案内される。
【００１０】
請求項４の発明は、請求項１の用紙分離装置において、前記延長板が、供給される用紙の幅方向の略中央に接触するものである。
【００１１】
請求項４の発明によれば、延長板が、供給される用紙の幅方向の略中央に接触し、用紙にバランスよく接触して、用紙の斜行や重送が防止される。
【００１２】
【００１３】
【００１４】
【００１５】
【００１６】
【００１７】
【００１８】
請求項５の発明は、請求項１〜４の用紙分離装置において、さらに、前記分離片の両側に、用紙が薄い場合にその用紙を分離ローラに押し付ける付勢部材が設けられている。
【００１９】
請求項５の発明によれば、分離片の両側に、用紙を分離ローラに押し付ける付勢部材が設けられ、用紙が薄い場合にも無理なく分離される。
【００２０】
請求項６の発明は、複写機、プリンタ、ファクシミリ装置などの画像形成装置であって、請求項１〜５のいずれかの用紙分離装置を用いたものである。
【００２１】
請求項６の発明によれば、画像形成装置において、用紙が延長板によって案内され、用紙が逆くさび状になるのが回避され、用紙の重送が防止される。
【００２２】
【発明の実施の形態】
以下、本発明の実施の形態を図面に沿って説明する。
【００２３】
図１は本発明に係る用紙分離装置を備えたファクシミリ装置の概略構成図である。尚、本実施形態は、操作パネル、フィーダユニット、レーザプリンタ、原稿読み取り装置などを備えたファクシミリ装置に適用した場合のものである。
【００２４】
図１に示すように、このファクシミリ装置１の本体ケース２内には、画像形成のための用紙を給紙するフィーダユニット１０と、レーザスキャナユニット２５や感光ドラム２１を有するレーザプリンタ２０と、原稿読み取り装置７０と、感光ドラム２１や各種のローラを含む駆動系を駆動する駆動機構（図示せず）と、ファクシミリ装置１を制御する制御ユニット（図示せず）とが設けられている。
【００２５】
前記フィーダユニット１０は、図１に示すように、本体ケース２の後端部の上部のフィーダ部ケース２ａ内に用紙押圧板１１が配設され、その用紙押圧板１１の前端部は圧縮バネ１２により上側に弾性付勢され、用紙３を給紙する分離ローラ１３が回転自在に枢支されている。この分離ローラ１３は、図示しない駆動機構により、所定の給紙タイミングで回転駆動されるようになっている。
【００２６】
そして、そのフィーダ部ケース２ａ内に、定形カット紙からなる用紙３を複数枚収容可能な給紙カセット１４が傾斜状態で着脱自在に装着され、分離ローラ１３の回転により、給紙カセット１４に収容された用紙３が１枚ずつ給紙される。分離ローラ１３よりも原稿搬送方向（図１において、後方から前方向き）下流側には、給紙された用紙３の先端を揃える１対のレジストローラ１５が回転可能に夫々枢支されている。
【００２７】
次に、レーザプリンタ２０は、円筒形状の感光ドラム２１と、その感光ドラム２１上に静電潜像を形成するレーザスキャナユニット２５と、トナーボックス３５と、現像ローラ４３を有する現像ユニット４０と、感光ドラム２１上のトナー画像を用紙３に転写する転写ローラ４５と、定着ユニット５０と、これら感光ドラム２１や現像ローラ４３などを駆動する駆動機構（図示せず）を備えている。
【００２８】
感光ドラム２１は、アルミ製の円筒スリーブの外周部に、ポリカーボネートに光導電性樹脂を分散させた所定厚さ（例えば、約２０μｍ）の光導電層を形成した中空状のものであり、本体ケース２に回転自在に枢支されている。即ち、感光ドラム２１上に形成されたプラス極性の静電潜像に対して、プラス極性に帯電したトナー３７を反転現像方式で現像するように構成されている。
【００２９】
レーザスキャナユニット２５は、感光ドラム２１の下側に配設され、感光ドラム２１上に静電潜像を形成するためのレーザ光Ｌを発生する半導体レーザ発光器２６、回転駆動されるポリゴンミラー２７（５面体ミラー）、１対のレンズ２８，２９、１対の反射ミラー３０，３１などから構成され、半導体レーザ発光器２６から出射したレーザ光Ｌを主走査することで感光ドラム２１上に静電潜像を形成することができる。
【００３０】
一方、感光ドラム２１上のレーザ光Ｌが照射される位置よりも、回転方向進角側の位置には、タングステンなどからなる帯電用ワイヤからコロナ放電を発生させるスコロトロン型の帯電器３２が設けられ、その帯電器３２よりも更に回転方向進角側の位置には、除電ランプ３３が設けられている。
【００３１】
次に、トナーボックス３５と、感光ドラム２１の直ぐ後側に配設された現像ユニット４０について説明する。
【００３２】
現像部ケース２ｂには、回転駆動されるアジテータ３６と、電気絶縁性を有する絶縁性のトナー３７とを収容した２重円筒状のトナーボックス３５が着脱可能に装着され、そのトナーボックス３５の前側には、トナーボックス３５に形成されたトナー供給口を介してアジテータ３６の回転により供給されたトナー３７を収容するトナー貯蔵室４１が形成され、そのトナー貯蔵室４１には、供給ローラ４２が回転可能に枢支され、更にそのトナー貯蔵室４１の前側を仕切るように且つ供給ローラ４２と感光ドラム２１とに夫々接するように、現像ローラ４３が回転可能に枢支されている。ここで、前記トナー３７は、その粒径を７〜１０μｍとする合成樹脂製であり、また、供給ローラ４２と現像ローラ４３とは、導電性を有するゴム製である。
【００３３】
一方、現像部ケース２ｂには、ステンレス製またはリン青銅製の薄い板状の弾性を有する層厚規制ブレード４４が下向きに取り付けられ、その下端部に形成された屈曲部が現像ローラ４３に押圧状に接触しており、供給ローラ４２から供給されて現像ローラ４３の表面に層状に付着したトナー３７の層厚が、この層厚規制ブレード４４で規制される。
【００３４】
ところで、現像ユニット４０の直ぐ下側には、冷却用ファン５が設けられ、この冷却用ファン５の駆動により特にトナーボックス３５を冷却することにより、トナー３７の温度上昇による凝固を防止して、画像品質の低下を防ぐようになっている。また、トナーボックス３５の直ぐ下側に、トナーボックス３５に近接状にサーミスタからなるトナー温度検出センサ６が設けられ、このトナー温度検出センサ６によりトナー３７の温度を反映する温度を検出するようになっている。
【００３５】
そして、感光ドラム２１、供給ローラ４２、現像ローラ４３などが駆動機構により夫々所定回転方向に駆動されるので、トナー３７の各トナー粒子は、供給ローラ４２と現像ローラ４３との擦り付けにより、また層厚規制ブレード４４の現像ローラ４３への押圧摩擦によりプラス極性に帯電され、このプラス極性に帯電したトナー３７が、レーザ光Ｌにより感光ドラム２１上に形成された静電潜像に付着して、反転現像方式で現像される。
【００３６】
次に、導電性を有するゴム製の転写ローラ４５は、感光ドラム２１の上側に接するように設けられて回転自在に枢支され、感光ドラム２１上のトナー画像がこの転写ローラ４５により、用紙３に確実に転写されるようになっている。
【００３７】
定着ユニット５０は、感光ドラム２１よりも原稿搬送方向下流側に設けられ、ハロゲンランプなどの定着ヒータ５１を内蔵した加熱用ローラ５２と押圧ローラ５３とからなり、用紙３の下面に転写されたトナー画像が押圧と同時に加熱されて用紙３に定着される。ここで、加熱用ローラ５２に近接状にサーミスタからなるヒータ温度検出センサ７が設けられ、このヒータ温度検出センサ７により加熱用ローラ５２の表面温度を検出するようになっている。
【００３８】
そして、その定着ユニット５０の原稿搬送方向下流側には、用紙搬送用の１対の搬送ローラ５５と、排紙トレイ５６とが夫々設けられている。ここで、分離ローラ１３、レジストローラ１５、供給ローラ４２、現像ローラ４３、転写ローラ４５、押圧ローラ５３、搬送ローラ５５は、具体的に図示していないが、ＬＦ用モータによりギヤ機構を介して夫々回転駆動される。
【００３９】
次に、原稿４を搬送する原稿分離装置６０と、原稿読み取り装置７０とについて説明する。
【００４０】
前記本体ケース２の前側の上部には、電源スイッチ、モード設定スイッチ、テンキー及び各種の機能キーが設けられたキーボード８ａや液晶ディスプレイ８ｂを有する操作パネル８が設けられ、その操作パネル８の下側に、原稿挿入ガイド部６１の載せられた原稿４（文字や図面等の情報）が記載されたを分離する原稿分離装置６０と、原稿４に記録されている画像を読み取る原稿読み取り装置７０とが設けられている。
【００４１】
前記原稿挿入ガイド部６１に載せられた原稿４は、上下１対の原稿送りローラ６２、原稿を案内するペーパーガイド６３（シュート部材）及び１対の原稿排出ローラ６４により、原稿読み取り装置７０による原稿読み取り位置へ送られるようになっており、これらによって、搬送経路に沿って原稿を搬送するための搬送手段が構成されている。尚、前記原稿送りローラ６２及び原稿排出ローラ６４は、具体的に図示していないが、制御ユニットによって駆動制御される原稿搬送モータによりギヤ機構を介して回転駆動される。
【００４２】
前記原稿挿入ガイド部６１から挿入される原稿４の搬送方向下流側端部付近には、図２（ａ）（ｂ）に示すように、前記原稿挿入ガイド部６１から、原稿４を取り出す原稿分離ローラ６５が設けられ、その上方に、原稿分離ローラ６５が取り出す原稿４を一枚ずつに分離するための、例えば、表面の摩擦係数の大きなシリコンゴムなどからなる分離片６６が配設されている。分離片６６は、原稿４の繰り出し方向から傾斜する状態で原稿分離ローラ６５の外周に当接している。
【００４３】
前記原稿挿入ガイド部６１の連続するペーパーガイド６３は、その先端部に、先端部分が前記分離片付近まで延びるフィルム状の延長板６７が設けられている。前記延長板６７は、供給される原稿４の幅方向の略中央に接触するようになっており、原稿４をバランスよく支持して案内するようになっている。このように、複数枚積層された原稿４の最も下のものの先端が分離片６６と原稿分離ローラ６５との当接位置の付近まで前記延長板６７により案内されることによって、先端がカールした原稿が原稿分離ローラ６５に引っかかったり、下側に位置する複数枚の原稿４が逆くさび状になるが回避される。よって、複数枚の原稿４が同時に原稿分離ローラ６５に接触するということがなくなる。ここで、前記延長板６７は、複数枚積層された原稿４の最も下のものがスムーズに原稿分離ローラ６５に接触する位置まですべり込めるよう充分摩擦係数の小さな表面を有する可撓性の合成樹脂フィルム（例えば厚さ5/180mm程度のＰＥＴフィルム）からなり、前記ペーパーガイド６３の先端部に基端部分が接着されている。尚、前記延長板６７の表面と原稿４との摩擦係数をα、原稿４同士の摩擦係数をβ、原稿４と分離片６６の表面との摩擦係数をγとしたとき、α＜β＜γとなるようにすれば、積層された原稿４のうち最下層の１枚のみが原稿分離ローラ６５に接触し、それより上の原稿４は原稿搬送方向と逆の方向に徐々にずれ、最上部の原稿４は分離片６６により抑止されるので、原稿４の重送がより一層確実に防止できる。
【００４４】
また、前記分離片６６には、分離片６６を原稿分離ローラ６５側へ押圧付勢する付勢手段として、分離片６６の上側面に一部が当接される板バネ６８Ａが設けられ、該板バネ６８Ａに、それの振動を減衰せしめる防振手段としてブロック形状の防振ゴム６９が接着固定されている。
【００４５】
前記板バネ６８Ａは、一端部が分離片６６の基端部とともにフレームに取り付けられる支持部６８ａと、該支持部６８ａの他端部に連設され分離片６６に接触して該分離片６６を原稿分離ローラ６５側に付勢する屈曲形状の付勢部６８ｂとを有するもので、振動の減衰性能を高めるために前記防振ゴム６９は板バネ６８Ａの支持部６８ａの一端部付近に設けられている。また、前記分離片６６の両側には、原稿４が薄い場合にその原稿４を原稿分離ローラ６５に確実に押し付ける付勢部材として、原稿４に当接される左右１対の板バネ６８Ｂが設けられている。尚、この１対の板バネ６８Ｂは、前記板バネ６８Ａと一体的に形成されている。
【００４６】
また、原稿読み取り装置７０は、搬送経路の途中すなわち原稿分離装置６０の下流側に配設されており、従来と同様な構造の密着型イメージセンサ７１を備えるものである。尚、前記イメージセンサ７１は、原稿４に記載されている画像を読み取り、画像信号を制御ユニットに供給するものである。
【００４７】
このイメージセンサ７１は、操作パネル８の下側に位置し、原稿４全体にわたって画像の読み取りが可能なるように紙面の手前側から奥に向かって原稿幅（例えばＡ４サイズ）の長さを有する。また、図４に示すように、イメージセンサ７１の原稿読み取り面７１ａ（上面）は、その原稿４の幅方向のほぼ中央部が左右両端部よりも高くなるように形成されている（例えば０．３mm程度）。
【００４８】
前記イメージセンサ７１と操作パネル８との間には、イメージセンサ７１の読み取り面７１ａに向かって原稿４を押圧する原稿押さえ部材８０が配設されている。
【００４９】
原稿押さえ部材８０は、前記読み取り面７１ａに対向して配設され、前記読み取り面７１ａに原稿を押圧するための平面部８０ａと、該平面部８０ａに連続してその原稿挿入側に形成され原稿４を前記平面部８０ａへと案内するために原稿搬送方向と逆の方向に向かって徐々に搬送経路を拡張する傾斜面部８０ｂを備える。原稿押さえ部材８０は、当該部材８０における原稿搬送方向の上流側端部すなわち傾斜面部８０ｂの原稿搬送方向上流側端部において、原稿搬送方向に直交する軸線回りに回転可能なるように支持されている。さらに、原稿押さえ部材８０は、平面部８０ａより原稿搬送方向下流側に延びる係止部８０ｃを有し、該係止部８０ｃの先端部がフレーム２ｃに形成された被係合孔２ｄに一定の範囲で上下方向に移動可能に係合せしめられ、それらの係合関係で原稿押さえ部材８０の上下方向の可動範囲が規制されるようになっている。
【００５０】
また、原稿押さえ部材８０には、その平面部８０ａを、イメージセンサ７１の読み取り面７１ａに対して押圧する押圧部材としてコイルスプリング８２が配設されている。このコイルスプリング８２は、原稿押さえ部材８０における平面部８０ａの原稿搬送方向の下流側端部付近に設けられており、一端部が原稿押さえ部材８０の、原稿搬送方向に直交する方向のほぼ中央部分に係合されている。
【００５１】
尚、ファクシミリ装置１を制御する制御ユニットには、ＣＰＵと、記録制御や原稿読み取り制御等の各種の制御プログラムを含み、ファクシミリ装置１を制御する複数の制御プログラムを記憶したＲＯＭと、ＲＡＭとを含むマイクロコンピュータが設けられている。
【００５２】
上記のように構成すれば、分離片６６及び左右の板バネ６８Ｂは、原稿の枚数に応じた押圧力（バネ力）で原稿分離ローラ６５の外周に当接されて、原稿分離ローラ６５の回転により原稿分離ローラ６５との間に挿入される各原稿４のうち、原稿分離ローラ６５に接触して追従する最下側の原稿４が分離片６６を押し上げ、左右の板バネ６８Ｂで押し付けられる状態で原稿分離ローラ６５を通過して他の原稿４と分離され、原稿送りローラ６２側に繰り出される。このとき、図３に示すように、フィルム状の延長板６７の先端部分が分離片６６付近まで延びているので、原稿４が逆くさび状になるのが回避され、最下側の原稿４のみが原稿分離ローラ６２に接することとなり、原稿４の重送が回避される。
【００５３】
ところで、このような原稿４（特にアート紙）の通過時においては、原稿４と分離片６６との摩擦により分離片６６に自励振動が生じ、それが板バネ６８Ａに伝達されると、異音発生の原因となるが、本実施の形態では、分離片６６に当接する板バネ６６Ａに防振ゴム６９を設けているので、板バネ６８Ａの振動が減衰せしめられ、異音が低減される。特に、防振ゴム６９を板バネ６８Ａの支持部６８ａの一端部付近に設けているので、振動の減衰性能が高められ、異音の低減に有利である。
【００５４】
そして、最下側の原稿４が原稿送りローラ６２側に繰り出されると、左右の板バネ６５Ｂが押圧力で原稿分離ローラ６５又は次の原稿４に当接されるので、次に原稿分離ローラ６５に接触して追従する最下側の原稿４も同様にして原稿送りローラ６２側に繰り出され、順次この動作を繰り返すことで原稿挿入ガイド部６１に挿入された任意枚数の原稿４が１枚単位毎に分離され、原稿送りローラ６２を経て、読み取り装置７０の読み取り面７０ａに繰り出される。
【００５５】
次いで、１枚単位毎に原稿送りローラ６２側に繰り出された原稿４は、原稿送りローラ６２の回転で原稿読み取り装置７０（密着型イメージセンサ７１の読み取り面７１ａ）を通過し、この読み取り面７１ａを通じて原稿４の画像が情報として読み取られ、原稿排出ローラ６４の回転で原稿が外部に排出される。このとき、原稿押さえ部材８０の原稿搬送方向の下流側端部分がコイルスプリング８２にて読み取り面７０ａ側に付勢されているので、原稿押さえ部材８０が原稿４との間に生ずる摩擦力などを原因として浮き上がるということがなく、安定して搬送が行われる。そうすると、原稿押さえ部材８０によって、原稿４の裏面全体がイメージセンサ７１の原稿読み取り面７１ａに密接するように押圧される。
【００５６】
前記実施の形態は、ファクシミリ装置１の原稿読み取り部で原稿４を一枚単位毎に分離するものに適用したものを示したが、これに限定されるものでなく、ファクシミリ装置の印字機能で原稿画像の情報が印字される用紙を一枚単位毎に分離するものや、ファクシミリ装置以外の例えば、コピー装置等の事務処理機器で用紙を一枚単位毎に分離するものに適用することもできる。
【００５７】
【発明の効果】
本発明は、以上に説明したような形態で実施され、以下に述べるような効果を奏する。
【００５８】
請求項１の発明は、用紙支持手段のシュート部材に収納される複数枚の用紙を、先端部分が分離片付近まで延びるフィルム状の延長板によって案内するようにしているので、用紙分離の際に、用紙が逆くさび状になるのを回避して、用紙の重送を防止することができる。
また、分離片を分離ローラ側へ押圧付勢する板バネに、それの振動を抑制する防振ゴムが接着されているので、簡単な構造でもって、用紙分離の際に生ずる板バネの振動を抑制して、そのような振動による異音の発生を防止することができる。
【００５９】
請求項２の発明は、板バネの支持部の一端部付近に防振ゴムを設けているので、防振ゴムによる減衰性能を高めることができる。
請求項３の発明は、延長板の基端部分をシュート部材に接着し、原稿搬送方向下流側部分を自由状態としているので、延長板は、供給される最も下側の用紙に自由状態のまま沿い、その用紙を分離ローラまで案内することができる。
【００６０】
請求項４の発明は、延長板が、供給される用紙の幅方向の略中央に接触するようにしているので、用紙にバランスよく接触して、用紙の斜行を防止するともに用紙の重送を防止することができる。
【００６１】
【００６２】
【００６３】
【００６４】
請求項５の発明は、分離片の両側に、用紙が薄い場合にその用紙を分離ローラに押し付ける付勢部材を設けているので、用紙が薄い場合にも無理なく分離することができ、用紙の厚さにかかわりなく用紙の分離を行うことができる。
【００６５】
請求項６の発明は、複写機、プリンタ、ファクシミリ装置などの画像形成装置において、延長板によって用紙が逆くさび状になるのを回避することで、用紙の重送を防止することができる。
【図面の簡単な説明】
【図１】  本発明に係る用紙分離装置を備えるファクシミリ装置の概略構成を示す断面図である。
【図２】  （ａ）は本発明に係る用紙分離装置付近の縦断面図、（ｂ）は用紙分離装置の分離片付近を下側から見た一部省略底面図である。
【図３】  用紙分離動作の説明図である。
【図４】  （ａ）（ｂ）はそれぞれ従来装置における用紙分離動作の説明図である。
【符号の説明】
１  ファクシミリ装置
４  原稿
６０  原稿分離装置
６１  原稿挿入ガイド部
６３  ペーパーガイド
６５  原稿分離ローラ
６６  分離片
６７  延長板
６８Ａ  板バネ
６８Ｂ  板バネ
６８ａ  支持部
６８ｂ  付勢部
６９  防振ゴム
【図１】
0003951450.tif 000002
【図２】
0003951450.tif 000003
【図３】
0003951450.tif 000004
【図４】
0003951450.tif 000005